(57)【要約】【課題】  持ち運び時に、重みにより屋根が変形しないようにする。【解決手段】  天井７を有する箱形の本体１に屋根３０を着脱自在に取着し、屋根３０の中央部に開口３１を形成する。本体の天井７を、本体の左右側壁４、５の上端から本体１の中央に向けて延設した一対の第１、第２天板１２Ａ、１２Ｂにより形成し、第１、第２天板１２Ａ、１２Ｂの端部を本体中央でＬ字状に折り曲げた立ち上がり部１３Ａ、１３Ｂが互いに当接するようにし、この立ち上がり部１３Ａ、１３Ｂに空けた開口１４Ａ、１４Ｂにより取っ手部１５を形成する。本体１の前後壁２、３の上端から溝付の第１、第２係止板１９Ｃ、１９Ｄを延設し、互いに当接した立ち上がり部１３Ａ、１３Ｂの端部に第１、第２係止板１９Ｃ、１９Ｄを係脱自在に係止させる。本体１と屋根３０は段ボール製とする。【選択図】        図１
0003141786.tif 000002
【実用新案登録請求の範囲】
【請求項１】
天井を有する箱形の本体と、本体の上に取着した屋根とを備え、
屋根の中央部に開口を形成するとともに、
本体の天井の上側中央部に取っ手部を設けたこと、
を特徴とする屋根付ペット用小屋。
【請求項２】
天井を、本体の左右側壁または前後壁の上端から本体の中央に向けて延設した一対の第１、第２天板により形成し、
第１、第２天板の端部を本体の中央でＬ字状に折り曲げた立ち上がり部が互いに当接するようにし、この立ち上がり部に空けた開口により取っ手部を形成したこと、
を特徴とする請求項１記載の屋根付ペット小屋。
【請求項３】
本体の前後壁または左右側壁の上端から延設した第１、第２係止板を設け、
第１、第２天板の互いに当接した立ち上がり部の端部に第１、第２係止板を係止するようにしたこと、
を特徴とする請求項２記載の屋根付ペット小屋。
【請求項４】
屋根を本体に対し着脱自在としたこと、
を特徴とする請求項１または２または３記載の屋根付ペット小屋。
【請求項５】
第１、第２天板を、各々左右側壁の上端を中心に開閉自在とするとともに、第１、第２係止板を、第１、第２天板の互いに当接した立ち上がり部の端部に係脱自在に係止したこと、
を特徴とする請求項４記載の屋根付ペット小屋。
【請求項６】
第１、第２係止板を溝付とし、
第１、第２天板の互いに当接した立ち上がり部の端部に第１、第２係止板の溝を差し込み、係脱自在に係止するようにしたこと、
を特徴とする請求項５記載の屋根付ペット小屋。
【請求項７】
本体と屋根との間に小物入れ用のスペースを有すること、
を特徴とする請求項１または２または３または４または５または６記載の屋根付ペット小屋。
【請求項８】
本体の中に中敷パッドを入れたこと、
を特徴とする請求項１または２または３または４または５または６または７記載の屋根付ペット小屋。
【請求項９】
本体、屋根は段ボール製としたこと、
を特徴とする請求項１または２または３または４または５または６または７記載の屋根付ペット小屋。
【請求項１０】
本体、屋根、中敷パッドは段ボール製としたこと、
を特徴とする請求項８記載の屋根付ペット小屋。
【考案の詳細な説明】
【技術分野】
【０００１】
本考案は屋根付ペット小屋に係り、とくに持ち運び可能な屋根付ペット小屋に関する。
【背景技術】
【０００２】
従来の持ち運び可能なペット小屋として、特開２００６−３０５９９５号に段ボール製の犬小屋が開示されている。この犬小屋は断面六角構造の箱形であり、天井板が２重に重ねあわされて、下側に装着された取っ手が上側の開口から外側に露出するようにしてある。けれども、この犬小屋を屋根付とする場合、取っ手を屋根に取り付けることになるが、ペットの重量で屋根が変形したり、外れてしまう恐れがある。
【０００３】
【特許文献１】特開２００６−３０５９９５号公報の図５〜図７
【考案の開示】
【考案が解決しようとする課題】
【０００４】
本考案は上記した従来技術の問題に鑑み、持ち運び時に、重みにより変形等のトラブルを生じないようにできる屋根付ペット小屋を提供することを、その目的とする。
【課題を解決するための手段】
【０００５】
本考案では、天井を有する箱形の本体と、本体の上に取着された屋根とを備え、屋根の中央部に開口を形成するとともに、本体の天井の上側の中央部に取っ手部を設けたこと、を特徴としている。
本考案の１つの態様では、天井を、本体の左右側壁または前後壁の上端から本体の中央に向けて延設した一対の第１、第２天板により形成し、第１、第２天板の端部を本体の中央でＬ字状に折り曲げた立ち上がり部が互いに当接するようにし、この立ち上がり部に空けた開口により取っ手部を形成したこと、を特徴としている。
本考案の他の１つの態様では、本体の前後壁または左右側壁の上端から延設した第１、第２係止板を設け、本体の前後壁または左右側壁の上端から延設した第１、第２係止板を設け、第１、第２天板の互いに当接した立ち上がり部の端部に第１、第２係止板を係止するようにしたこと、を特徴としている。
本考案の更に他の１つの態様では、屋根を本体に対し着脱自在としたこと、を特徴としている。
本考案の他の１つの態様では、第１、第２天板を、各々左右側壁の上端を中心に開閉自在とするとともに、第１、第２係止板を、第１、第２天板の互いに当接した立ち上がり部の端部に係脱自在に係止したこと、を特徴としている。
本考案の他の１つの態様では、第１、第２係止板を溝付とし、第１、第２天板の互いに当接した立ち上がり部の端部に第１、第２係止板の溝を着脱自在に差し込み、係脱自在に係止するようにしたこと、を特徴としている。
本考案の他の１つの態様では、本体と屋根との間に小物入れ用のスペースを有すること、を特徴としている。
本考案の他の１つの態様では、本体の中に中敷パッドを入れたこと、を特徴としている。
本考案の他の１つの態様では、本体と屋根、または本体と屋根と中敷パッドを段ボール製としたこと、を特徴としている。
【考案の効果】
【０００６】
本考案によれば、屋根の開口から手を入れ、本体の上部に設けた取っ手部を掴んで持ち運ぶことが出来るので、屋根に直接力が掛からず、屋根の変形や屋根の外れといったトラブルが起きない。
また、取っ手部は第１、第２天板を折り曲げて立ち上がらせた立ち上がり部に開けた開口により形成されているので、取っ手部用の部材を別途用意し、取着する手間が省ける。
また、第１、第２係止板が第１、第２天板の立ち上がり部に係止しているため、持ち運び時に掛かる力で第１、第２天板が開くことはない。
また、屋根を本体に対し着脱自在としたので、屋根が邪魔な場合は屋根を外して持ち運ぶこともできる。更に、第１、第２天板を、各々左右側壁の上端を中心に開閉自在とするとともに、第１、第２係止板を、第１、第２天板の互いに当接した立ち上がり部の端部に係脱自在に係止したので、屋根を外し、第１、第２天板を開けて中に中敷パッドを入れたり、交換したりできる。
また、本体と屋根との間の小物入れ用のスペースに小物を収納することもできる。
【考案を実施するための最良の形態】
【０００７】
次に本考案を実施するための最良の形態を実施例を用いて説明する。
【実施例１】
【０００８】
図１は本考案の一つの実施例に係る室内用の屋根付ペット小屋の概観斜視図、図２は屋根を外した本体の外観斜視図、図３〜図７は屋根付ペット小屋の正面図、背面図、左側面図、右側面図、平面図、図８〜図１０は屋根を外した本体の左側面図、右側面図、平面図である。
図１乃至図１０において、１は段ボールを折り曲げて組み立てた箱形の本体であり、前壁板２、後壁板３、左右側壁板４、５、底６、天井７を有する。前壁板２に出入口２Ａが形成されている。底６は後述するように４枚の底板が組み合わされてなる（図１１の符号８〜１１参照）。天井７は２枚一対の第１、第２天板１２Ａ、１２Ｂにより形成されている。第１天板１２Ａは左側壁板４の上端から本体１の中央方向（右側壁板５の方向）へ延設されており、先端部が本体１の中央でＬ字状に立ち上げられて立ち上がり部１３Ａとなっており、第２天板１２Ｂは第１の天板１２Ａと対象に、右側壁板５の上端から本体１の中央方向（左側壁板４の方向）左側壁板４の方向へ延設されており、先端部が本体１の中央でＬ字状に立ち上げられて立ち上がり部１３Ｂとなっている。立ち上がり部１３Ａと１３Ｂは本体１の中央で互いに当接している（第１、第２天板１２Ａ、１２Ｂで本体１の箱を閉じたとき。図２参照）。この立ち上がり部１３Ａと１３Ｂは本体１の奥行の長さより外側へ少し長く形成されている（図８、図９参照）。第１、第２立ち上がり部１３Ａ、１３Ｂには当接状態での同じ位置に開口１４Ａ、１４Ｂが形成されており、この開口１４Ａ、１４Ｂにより取っ手部１５が形成されている。開口１４Ｂの下端には第２天板１２Ｂから水平方向に押さえ部１６が突設されている（図１０参照）。
【０００９】
第１、第２立ち上がり部１３Ａ、１３Ｂの前後両端部には耳部１７Ａ、１７Ｂと１８Ａ、１８Ｂが形成されている。本体１の前壁板２と後壁板３の上端からは三角形状の第１、第２係止板１９Ｃ、１９Ｄが延設されている。第１、第２係止板１９Ｃ、１９Ｄの真ん中には溝２０Ｃ、２０Ｄが形成されている。溝２０Ｃは当接状態にある耳部１７Ａ、１７Ｂに挿脱自在に差し込めるようになっており、溝２０Ｄは当接状態にある耳部１８Ａ、１８Ｂに挿脱自在に差し込めるようになっている。溝２０Ｃを耳部１７Ａ、１７Ｂに差し込むことで、第１係止板１９Ｃが立ち上がり部１３Ａ、１３Ｂの耳部１７Ａ、１７Ｂに係脱自在に係止し、溝２０Ｄを耳部１８Ａ、１８Ｂに差し込むことで、第２係止板１９Ｄが立ち上がり部１３Ａ、１３Ｂの耳部１８Ａ、１８Ｂに係脱自在に係止する（図２、図８、図９、図１０参照）。これにより、取っ手部１５を手で持ち、持ち上げたときに第１、第２天板１２Ａ、１２Ｂが開くのが防止される。
【００１０】
本体１の上には屋根３０が着脱自在に取着されている（図１参照）。屋根３０は断面が山形であり、中央に上から見下ろして方形の開口３１が形成されている（図７参照）。この開口３１は持ち運び時に手を挿入して取っ手部１５を掴むためのものである。屋根３０の左右の下端部近くには下方へ延設された突片３２Ａ、３２Ｂが設けられている。一方、本体１の第１、第２天板１２Ａ、１２Ｂの左右側壁板４、５近くに溝３３Ａ、３３Ｂが形成されており、突片３２Ａ、３２Ｂを溝３３Ａ、３３Ｂに差し込み、着脱自在に取着できるようになっている（図５、図６参照）。本体１と屋根３０の間の空間は小物入れスペースとなっている。本体１の中の底６の上には中敷パッド４０が載置されている（図１参照）。
【００１１】
図１１は本体１を展開した平面状の本体用段ボール部材の形状を示す展開図、図１２は屋根３０を展開した平面状の屋根用段ボール部材の展開図、図１３乃至図１５は屋根付ペット小屋の組み立て図であり、以下、これらの図を参照して組み立て方法を説明する。
図１１の本体用段ボール部材５０を用意し、折り目５１乃至５８を折り曲げるとともに本体１の前壁板２、後壁板３、左右側壁板４、５、底６を組み立て、糊しろ部５９を後壁板３の端に接着する。次に、底６の上に中敷パッド４０を挿入し、折り目６０〜６３を折り曲げて第１、第２天板１２Ａ、１２Ｂから立ち上がり部１３Ａ、１３Ｂを垂直に立ち上げた状態として（押さえ部１６は第２天板１２Ｂと面一のままとする）、折り目６４〜６７で第１、第２天板１２Ａ、１２Ｂを水平に折り曲げ、立ち上がり部１３Ａ、１３Ｂを当接した状態にして天井７を形成する。この際、第２天板１２Ｂの押さえ部１６が第１天板１２Ｂの上に乗るようにする（図１３参照）。
次に、折り目６４で第１係止板１９Ｃを斜め後方に折り曲げながら、溝２０Ｃに耳部１７Ａ、１７Ｂを差し込み、係止させ、折り目６５で第２係止板１９Ｄを斜め前方に折り曲げながら、溝２０Ｄに耳部１８Ａ、１８Ｂを差込み、係止させる（図１４参照）。これにより、本体１が完成する。
続いて、図１２の屋根用段ボール部材７０を折り目７１〜７４で山形に折るとともに、折り目７５、７６で突片３２Ａ、３２Ｂを下方に折り、屋根３０を作成し、突片３２Ａ、３２Ｂを本体１の溝３３Ａ、３３Ｂに挿入して取着する（図１５参照）。これにより、屋根付ペット小屋が完成する。
持ち運び時、屋根３０の開口３１から手を挿入して取って部１５を掴み、持ち上げればよい。
組み立てと逆の手順で、簡単に屋根３０を外したり、更に、第１、第２係止板１９Ｃ、１９Ｄを立ち上がり部１３Ａ、１３Ｂの耳部１７Ａ、１７Ｂ、１８Ａ、１８Ｂから外し、第１、第２天板１２Ａ、１２Ｂを開けることで中敷パッド４０を交換することもできる。また、屋根３０と本体１の間の小物入れスペースに小物を収納するみともできる。
【００１２】
この実施例によれば、屋根３０の開口３１から手を入れ、本体１の天井７の上側に設けた取っ手部１５を掴んで持ち運ぶことが出来るので、屋根３０に直接力が掛からず、屋根３０の変形や屋根３０の外れといったトラブルが起きない。
また、取っ手部１５は第１、第２天板１２Ａ、１２Ｂから立ち上がらせた立ち上がり部１３Ａ、１３Ｂに形成されているので、取っ手部用の部材を別途用意し、取着する手間が省ける。
また、第１、第２係止部１９Ｃ、１９Ｄが立ち上がり部１３Ａ、１３Ｂの両端部に係止しているため、持ち運び時に掛かる力で第１、第２天板１２Ａ、１２Ｂが開くことはない。
また、屋根３０は突片３２Ａ、３２Ｂを本体１の溝３３Ａ、３３Ｂに差し込む構造なので、簡単に取り付け、取り外しができる。更に、屋根３０を外したあと、第１、第２係止板１９Ｃ、１９Ｄを立ち上がり部１３Ａ、１３Ｂから外すことで、簡単に第１、第２天板１２Ａ、１２Ｂを開けることができ、中敷パッド４０の交換等に手間が掛からない。
また、屋根３０と本体１の間の小物入れスペースに小物を収納するみともできる。
また、本体１、屋根３０、中敷パッド４０が段ボール製なので、環境にも良い。
【００１３】
なお、上記した実施例では左右側壁板の上端から第１、第２天板を延設し、前後壁板の上端から第１、第２係止板を延設したが、反対に、左右側壁板の上端から第１、第２係止板を延設し、前後壁板の上端から第１、第２天板を延設するようにしてもよい。
【産業上の利用可能性】
【００１４】
本考案は、犬、猫、リス等の動物ペットを室内または屋外で飼う段ボール等の厚紙、木材、プラスチック製等の屋根付ペット用小屋に利用できる。
【図面の簡単な説明】
【００１５】
【図１】本考案の一つの実施例に係る屋根付ペット用小屋の外観斜視図である（実施例１）。
【図２】図１の本体の外観斜視図である。
【図３】図１の屋根付ペット用小屋の正面図である。
【図４】図１の屋根付ペット用小屋の背面図である。
【図５】図１の屋根付ペット用小屋の左側面図である。
【図６】図１の屋根付ペット用小屋の右側面図である。
【図７】図１の屋根付ペット用小屋の平面図である。
【図８】図２の本体の右側面図である。
【図９】図２の本体の左側面図である。
【図１０】図２の本体の平面図である。
【図１１】本体を展開した段ボール部材の平面図である。
【図１２】屋根を展開した段ボール部材の平面図である。
【図１３】屋根付ペット小屋の組み立て方法の説明図である。
【図１４】屋根付ペット小屋の組み立て方法の説明図である。
【図１５】屋根付ペット小屋の組み立て方法の説明図である。
【符号の説明】
【００１６】
１  本体
２  前壁板
３  後壁板
４  左側壁板
５  右側壁板
７  天井
１２Ａ  第１天板
１２Ｂ  第２天板
１３Ａ、１３Ｂ  立ち上がり部
１５  取っ手部
１７Ａ、１７Ｂ、１８Ａ、１８Ｂ  耳部
１９Ｃ  第１係止板
１９Ｄ  第２係止板
２０Ｃ、２０Ｄ  溝
３０  屋根
３１  開口
３２Ａ、３２Ｂ  突片
３３Ａ、３３Ｂ  溝
４０  中敷パッド
【図１】
0003141786.tif 000003
【図２】
0003141786.tif 000004
【図３】
0003141786.tif 000005
【図４】
0003141786.tif 000006
【図５】
0003141786.tif 000007
【図６】
0003141786.tif 000008
【図７】
0003141786.tif 000009
【図８】
0003141786.tif 000010
【図９】
0003141786.tif 000011
【図１０】
0003141786.tif 000012
【図１１】
0003141786.tif 000013
【図１２】
0003141786.tif 000014
【図１３】
0003141786.tif 000015
【図１４】
0003141786.tif 000016
【図１５】
0003141786.tif 000017